(57)【特許請求の範囲】
【請求項１】
記録媒体に画像を記録する記録部材と、
前記記録部材に対向可能に配置され、記録媒体を搬送する搬送ユニットと、
前記搬送ユニットを印刷位置と待避位置との間で移動させるための移動機構と、
を備え、
前記搬送ユニットは、
記録媒体の搬送方向に沿って設けられた１対の側壁と、前記１対の側壁を連結する連結部と、を有する板状部材により構成されたフレームと、
前記フレームの１対の側壁に固定され先端が前記記録部材に当接可能なピンを有する３つ以上の位置決め部材と、を含み、
前記フレームは、前記移動機構によって前記印刷位置に移動させられた際に前記複数の位置決め部材のピンのすべてが前記印刷位置に当接可能なように変形可能であり、
前記位置決め部材は、
前記ピンを含む固定部材と、
前記固定部材に対して摺動可能に嵌合する摺動部材と、
前記固定部材と前記摺動部材との間に配置されたバネと、
を備え、
前記移動機構は、前記摺動部材に当接し、
前記バネの伸縮方向は、前記印刷位置と待避位置とを結ぶ方向に平行であり、
前記バネは、前記印刷位置と待避位置とを結ぶ方向において、前記移動機構の前記摺動部材への当接位置に対向する位置に配置されている画像形成装置。
【請求項２】
前記印刷位置と待避位置とを結ぶ方向に直交する方向における前記固定部材の両端には、前記印刷位置と待避位置とを結ぶ方向に延びる溝がそれぞれ形成され、
前記摺動部材が前記溝に嵌合することにより、前記摺動部材は、固定部材に対して前記印刷位置と待避位置とを結ぶ方向に摺動可能である請求項１に記載の画像形成装置。
【発明の詳細な説明】
【技術分野】
【０００１】
本発明は、画像形成装置、特に記録部材に対向して配置され記録媒体を搬送する搬送ユニットを備えた画像形成装置に関する。
【背景技術】
【０００２】
近年、画像形成装置の一つとして、記録ヘッドに備えられた多数のノズルからインクを吐出し、用紙等の記録媒体に印字を行うインクジェット記録装置が、小型で安価、作動時に静寂であるなどの利点があるために、広く市販されている。
【０００３】
図４は従来のインクジェット記録装置の印刷機構の概略構成図である。
【０００４】
図４（ａ）に示すように、２つの搬送ローラＲ１，Ｒ２に搬送ベルトＢが張設されており、これら搬送ローラＲ１，Ｒ２が反時計回りに回転することで、搬送ベルトＢの外面上を記録媒体Ｐが矢印Ｍ方向に搬送される。
【０００５】
搬送ベルトＢの上方には、この搬送方向Ｍの上流から順に、ブラック（Ｋ）、シアン（Ｃ）、マゼンタ（Ｍ）、イエロー（Ｙ）の各色のインクを吐出する多数のノズルを備えた記録ヘッドＦＫ，ＦＣ，ＦＭ，ＦＹが、記録筺体Ｆ内に記録媒体Ｐの全幅に亘って水平に配置されている（図４（ｂ）、符号Ｎがノズルを示す）。なお、図４（ｂ）は記録ヘッドを下側から見た模式的な透視図である。記録媒体Ｐの搬送とともに、この記録ヘッドＦＫ，ＦＣ，ＦＭ，ＦＹからそれぞれブラック、シアン、マゼンタ、イエローのインクが記録媒体上Ｐに吐出されることで、例えば特定の画像などが記録媒体上に形成される。
【０００６】
上記搬送ローラＲ１，Ｒ２及び搬送ベルトＢは１つの筺体の中に配置されて搬送ユニット３１を構成しており、この搬送ユニット３１はさらに支持部材（偏心プーリ）３２によって支持されている。
【０００７】
そして、例えば、記録ヘッドＦＫ，ＦＣ，ＦＭ，ＦＹや搬送ユニット３１の保守・点検を行う場合には、これら偏心プーリ３２を矢印Ｓ方向に回転させる。すると、搬送ユニット３１は降下して、このインクジェット記録装置内部から取り出し可能となる。こうして、上記の保守・点検を行うことが可能となる。
【０００８】
ところで、通常の使用状態において、記録ヘッドＦＫ，ＦＣ，ＦＭ，ＦＹと搬送ベルトＢとの位置関係は、完全な平行状態に保たれていなければならない。なぜならば、この平行状態が乱れると、記録ヘッドＦＫ，ＦＣ，ＦＭ，ＦＹの各ノズルと記録媒体Ｐとの距離が不均一になってしまい、これによって吐出されたインクの飛距離も不均一になる。そうすると、形成された画像に色むらが生じるなどして、正確で美しい画像の記録ができなくなるからである。
【０００９】
従って、上記のような保守・点検のあとでは、搬送ユニット３１（搬送ベルトＢ）と記録筺体Ｆ（記録ヘッドＦＫ，ＦＣ，ＦＭ，ＦＹ）を完全に平行になるように設置する必要がある。
【００１０】
また、印刷を行っていないときに記録ヘッドＦＫ，ＦＣ，ＦＭ，ＦＹのノズルの乾燥を防ぐために、記録ヘッドＦＫ，ＦＣ，ＦＭ，ＦＹも対してインクを吸引するためのキャップを当接する場合がある。同様に、このノズルの目詰まりを防止するために、印刷に関係しないノズルからインクを吸引する目的で、記録ヘッドＦＫ，ＦＣ，ＦＭ，ＦＹに対してこのキャップを当接する場合がある。さらに搬送ユニット３１上で紙詰まりが発生した場合、この紙を取り除く作業が必要となる。これらの場合にも搬送ユニット３１を降下させる必要が生じ、所定の作業が終了した後には、搬送ユニット３１と記録筺体Ｆとを完全に平行になるように設置する必要がある。
【００１１】
この作業を補助するために、搬送ユニット３１に治具による微調整の機構を備えたインクジェット記録装置が、下記の特許文献１，２に開示されている。なお、上述のキャップについては下記の特許文献３に記載されている。
【特許文献１】特開２００６−１６８３１８号公報
【特許文献２】特開２００５−３０６０３２号公報
【特許文献３】特開２００５−１６９９９０号公報
【発明の開示】
【発明が解決しようとする課題】
【００１２】
しかし、上記の従来技術には、以下のような問題点がある。
【００１３】
第１に、画像形成装置の画像記録の解像度を例えば６００dpi程度の標準的な値であると仮定しても、上記の微調整は０．１ｍｍ程度の精度で行わなければならない。従来技術の治具による微調整では、ネジ止めなどの過程でこの程度の誤差が生じやすく、上記の完全な平行状態を実現するには高度に熟練した技術を要する。
【００１４】
第２に、上記の平行状態は、保守・点検等の際以外にも乱れてしまう場合がある。典型的な例は地震などの場合であるが、このほかにも、ユーザが接触してインクジェット記録装置に振動を与えてしまったような場合にも、この平行状態が乱れる場合がある。このような場合にまで従来のような治具による微調整を行うことは非常に煩雑な作業となる。
【００１５】
また、従来の搬送ユニットでは、この搬送ユニットの平行状態を良好に維持するために、高い剛性を有するように形成されている。しかし、高剛性を有する搬送ユニットは、重量が重くなり、この搬送ユニットを支持するための偏心プーリやこれを駆動するための機構が高コストになる。具体的には、偏心プーリを駆動するためのモータとして大容量のモータが必要となり、あるいは減速ギア機構が必要となる。さらに搬送ユニットを駆動するのに必要な電力も増大し、近年の省エネの要求に反したものとなってしまう。
【００１６】
本発明の課題は、搬送ユニットを移動させるための機構を簡単で、低コストで実現できるようにすることにある。
【００１７】
本発明の別の課題は、熟練した技術を要することなく、また、いつ如何なる状況においても、記録ヘッドと搬送ユニットとの平行状態を良好に維持することができるようにすることにある。
【課題を解決するための手段】
【００１８】
本発明に係る画像形成装置は、記録媒体に画像を記録する記録部材と、搬送ユニットと、移動機構と、を備えている。搬送ユニットは、記録部材に対向可能に配置され、記録媒体を搬送する。移動機構は搬送ユニットを印刷位置と待避位置との間で移動させるための機構である。そして、搬送ユニットは、フレームと、３つ以上の位置決め部材と、を有している。フレームは、記録媒体の搬送方向に沿って設けられた１対の側壁と、１対の側壁を連結する連結部と、を有している。３つ以上の位置決め部材はそれぞれ、フレームの１対の側壁に固定され先端が記録部材に当接可能なピンを有している。そして、フレームは、移動機構によって印刷位置に移動させられた際に複数の位置決め部材のピンのすべてが印刷位置に当接可能なように変形可能である。
【００１９】
この装置では、まず、搬送ユニットのフレームが柔構造であるので、変形が比較的に容易である。そして、この容易に変形することを利用して、搬送ユニットと記録部材との平行状態を良好に保つようにしている。すなわち、本発明では、位置決め部材のピンと搬送ユニットの搬送面との位置決めを精度よく管理することにより、仮に位置決め部材が搬送ユニットに対して精度よく装着されていないとしても、搬送ユニットのフレームが変形し、複数の位置決め部材のピンのすべてが印刷位置に移動して記録部材に当接した状態では、搬送ユニットの搬送面と記録部材との間の平行状態は良好に維持されていることになる。
【００２０】
しかも、搬送ユニットのフレームは柔構造であるので、従来の高剛性のフレームに比較して重量を軽量化することができる。したがって、搬送ユニットを移動させるためのモータを含む駆動機構を簡素化でき、低コスト化を実現することができる。
【００２１】
本発明に係る画像形成装置では、搬送ユニットは板状部材により構成されている。
【００２２】
ここでは、搬送ユニットが板状部材により構成されている。すなわち、搬送ユニットが板金構造であるので、容易に柔構造にすることができ、しかも容易に軽量化が実現できる。
【００２３】
本発明に係る画像形成装置では、位置決め部材は、ピンを含む固定部材と、固定部材に対して摺動可能に嵌合する摺動部材と、固定部材と摺動部材との間に配置されたバネと、を備えている。そして、移動機構は摺動部材に当接する。
【００２４】
この装置では、移動機構を摺動部材に当接させ、搬送ユニットを印刷位置に移動させた際に、３つ以上の位置決め部材のピンが記録部材に当接する。複数のピンが当接すれば、記録部材と搬送ユニットの平行状態は良好に保たれる。各ピンが同時に記録筺体に当接しなかった場合には、先に当接したピンにかかる圧力をバネが緩衝する。
【発明の効果】
【００２５】
以上のような本発明では、搬送ユニットを移動させるための機構を簡単で、低コストで実現することができる。また、本発明の一態様では、熟練した技術を要することなく、また、いつ如何なる状況においても、記録ヘッドと搬送ユニットとの平行状態を良好に維持することができる。
【発明を実施するための最良の形態】
【００２６】
図１は、本発明の一実施形態が採用された画像形成装置としての、インクジェット記録装置１００の内部構造図である。
【００２７】
このインクジェット記録装置１００は、下部に配置された給紙カセット１１１と、その上方に配置されたインクタンクＴと、このインクタンクＴの上方に配置され搬送ベルトＢを有する搬送ユニット１０１と、を備えている。また、搬送ユニット１０１の上方に配置された記録部材の一例である記録ヘッドを収納する記録筺体Ｆと、装置の右端に配置された用紙搬送路１１６と、を備えている。
【００２８】
給紙カセット１１１は、印刷が行われる記録媒体Ｐを収納するもので、この給紙カセット１１１には、給紙を行うための給紙ローラ１２１が用紙搬送路１１６側の端部に配置されている。この用紙搬送路１１６は、給紙カセット１１１から給紙された記録媒体Ｐを搬送ベルトＢに導くガイド板から構成されている。この用紙搬送路１１６には、給紙された用紙を搬送する搬送ローラ対１２２が給紙カセット１１１側に配置され、２次給紙を行うレジストローラ対１２３が搬送ベルトＢ側に配置されている。
【００２９】
インクタンクＴは、左右方向に並設されたインクタンクＴＫ，ＴＣ，ＴＭ，ＴＹから構成され、それぞれブラック（Ｋ）、シアン（Ｃ）、マゼンタ（Ｍ）、イエロー（Ｙ）のインクを貯留している。
【００３０】
搬送ベルトＢは、レジストローラ対１２３により２次給紙された記録媒体Ｐを左方に向けて搬送するもので、記録ヘッドＦＫ，ＦＣ，ＦＭ，ＦＹを収納した記録筺体Ｆの左右両外側（用紙搬送方向の下流側と上流側）に配置された１対の搬送ローラＲ２及び搬送ローラＲ１に張設されている。これら搬送ローラＲ１，Ｒ２及び搬送ベルトＢは１つの筺体（搬送フレーム１０１Ｆ）の中に配置されて搬送ユニット１０１を構成しており、この搬送ユニット１０１はさらに移動機構を構成する支持部材（偏心プーリ）１０８によって支持されている。この構成は上記背景技術と同様であり、搬送ユニット１０１は、偏心プーリ１０８によって、記録ヘッドに所定の間隙を有して対向する印刷位置と、保守・点検時等において記録ヘッドから離れた待避位置とを取り得る。
【００３１】
搬送ローラＲ２の下方には、印刷の際に余剰となったインクを回収するための、上面に開口を有する回収口１２６が配置され、この回収口１２６の下方には、廃インクタンク１２７が配置されている。そして、回収口１２６及び廃インクタンク１２７は、連通管１２８によって連通し、回収インク貯留部を構成している。
【００３２】
搬送ベルトＢの左方には排出ローラ対１２９が配置され、排出ローラ対１２９の左方の装置の左側壁には排出口１３０が形成され、この排出口１３０を通して装置内から装置外に突出する排出トレイ１３１が配置されている。
【００３３】
記録筺体Ｆは、記録ヘッド下面のノズル面１４１が搬送ベルトＢの用紙搬送面から微小間隔をおいた印刷位置に固定支持されている。この記録筺体Ｆには、左右方向に並設されたラインヘッドＦＫ，ＦＣ，ＦＭ，ＦＹ（図４（ｂ）参照）が設けられている。なお、各ラインヘッドＦＫ，ＦＣ，ＦＭ，ＦＹは、下記のような構造により、それぞれブラック（Ｋ）、シアン（Ｃ）、マゼンタ（Ｍ）、イエロー（Ｙ）のインクを吐出する。
【００３４】
各ヘッドのノズル面１４１には、それぞれのラインヘッドＦＫ，ＦＣ，ＦＭ，ＦＹ毎に、多数のノズルＮが用紙幅方向に用紙幅分だけ配列形成されている（図４（ｂ）参照）。これらの各ノズルＮはラインヘッド内に各ノズルＮに対応して形成された加圧室（図示しない）にそれぞれ連通し、各加圧室は更に各ラインヘッドＦＫ，ＦＣ，ＦＭ，ＦＹ内に形成されたインク液室（図示しない）に連通している。そして、各ラインヘッドＦＫ，ＦＣ，ＦＭ，ＦＹのインク液室はインク供給チューブ（図示しない）によって、それぞれインクタンクＴＫ，ＴＣ，ＴＭ，ＴＹに連通している。
【００３５】
さらに、記録筺体ＲＦの下流側には、各ラインヘッドＦＫ，ＦＣ，ＦＭ，ＦＹから記録媒体Ｐに吐出されたインクを乾燥させるための乾燥装置１１５が配置されている。
【００３６】
図２は、搬送ユニット１０１の構成図である。図２に示すように、この略直方体の搬送ユニット１０１の四隅には、それぞれ記録筺体Ｆに当接するピン１０２を備えた４つの位置決め部材Ａが設けられている。点線楕円内に示したこの位置決め部材Ａの構造を図３に示す。
【００３７】
搬送ユニット１０１は搬送フレーム１０１Ｆを有している。搬送フレーム１０１Ｆは、用紙搬送方向に沿って互いに平行に設けられた１対の側壁１０１ａ，１０１ｂと、用紙幅方向に延び１対の側壁１０１ａ，１０１ｂを連結する連結部１０１ｃと、を有している。なお、図２では、一方の連結部のみが表れている。また、搬送ユニット１０１は、搬送ベルトＢの直下に配置され、１対の側壁１０１ａ，１０１ｂを連結するプラテン板１１０を有している。このプラテン板１１０には多数の空気通過孔（不図示）が形成されており、この多数の空気通過孔を通じて、搬送ベルトＢ上の用紙を吸着するように構成されている。
【００３８】
ここで、従来の搬送ユニット１０１のフレームは、一般的にはアルミニウムの箱状の構造体で形成されている。しかし、本実施形態では、比較的厚みの薄い板金で形成されている。したがって、従来のフレームに比較してより変形しやすい柔構造となっている。また、従来のフレームに比較して軽量化されている。
【００３９】
ピン１０２は固定部材１０４に、上方に突出するように固定されている（図３（ａ））。一方、搬送ユニット１０１の側壁１０１ａ，１０１ｂの外側の面に、この固定部材１０４がネジ１０５によって固定されている（背面図３（ｂ）及び側面図３（ｃ）参照）。
【００４０】
固定部材１０４の左右両端には溝１０６が設けられ、この溝１０６に摺動部材１０３が上下に摺動可能に嵌合されている。また、摺動部材１０３と固定部材１０４との間には、バネ１０７が備えられている。従って、ピン１０２に上下方向から圧力が加わると、このバネ１０７が上下方向に伸縮することで、摺動部材１０３が上下に摺動する。この摺動部材１０３を、移動機構を構成する偏心プーリ３２によって下から支持することで、固定部材１０４と固定された搬送フレーム１０１Ｆが記録筺体Ｆに対して平行にセットされる（詳細は後述）。
【００４１】
背景技術と同様に、例えば、記録ヘッドＦＫ，ＦＣ，ＦＭ，ＦＹや搬送ユニットの保守・点検等を行う場合には、偏心プーリ１０８を矢印Ｓ方向に回転させる。すると搬送ユニット１０１は降下して、このインクジェット記録装置内部から取り出し可能となる。こうして、保守・点検等を行うことが可能となる。
【００４２】
一方、保守・点検等が終了した際には、この搬送ユニット１０１をインクジェット記録装置１００内にセットし、偏心プーリ１０８を矢印Ｓ方向と逆方向に回転させる。そうすると、摺動部材１０３がこの偏心プーリ１０８により持ち上げられることにより、位置決め部材Ａとこれに固定された搬送フレーム１０１Ｆが持ち上げられ、上述した四隅に設けられたピン１０２が記録筺体Ｆに当接する。
【００４３】
なお、固定部材１０４は、本体部１０４ａと、搬送フレーム１０１Ｆに当接しネジ１０５を挿入するための不図示のネジ孔を有する当接部１０４ｂと、によって構成されている。当接部１０４ｂは本体部１０４ａから台状に突出した部分である。なお、当接部１０４ｂは左右に突き出した突き出し部１０４ｃを有する。また、固定部材１０４の本体部１０４ａから左右に張り出した溝構造部１０４ｄをさらに有し、この溝構造部１０４ｄには前述の溝１０６が形成されている。
【００４４】
ここで、摺動部材１０３は本体部１０３ａと腕部１０３ｂとで構成され、この腕部１０３ｂには固定部材１０４の溝１０６に挿入される挿入部１０３ｃが設けられている。摺動部材１０３がもっとも下方に位置する場合でも、摺動部材１０３の腕部１０３ｂが固定部材１０４の突き出し部１０４ｃに当接するため、さらに下方へ移動することを妨げられる。さらに、摺動部材１０３は、その腕部１０３ｂが固定部材１０４の溝構造部１０４ｄと搬送ユニット１０１の搬送フレーム１０１Ｆに挟み込まれているので抜け落ちることはない。また、搬送ユニット１０１が、降下した位置にある時やインクジェット記録装置内部から取り出した場合に、何らかの外力が摺動部材１０３の下方から加わったとしても、摺動部材１０３の挿入部１０３ｃが溝１０６によって規制されているので、摺動部材１０３が上方に抜け出すことはない。
【００４５】
また、摺動部材１０３の腕部１０３ｂと搬送ユニット１０１との間には、図３（ｃ）に示すように若干の空間が生じるように、固定部材１０４の当接部１０４ｂと摺動部材１０３の腕部１０３ｂの位置関係が規定されている。つまり、固定部材１０４と摺動部材１０３を搬送ユニット１０１に取り付けた際の、固定部材１０４の本体部１０４ａから当接部１０４ｂの高さより、摺動部材１０３の腕部１０３ｂの高さが低くなるように固定部材１０４と摺動部材１０３が構成されている。このことによって、摺動部材１０３がスムーズに移動することができる。
【００４６】
搬送ユニット１０１（搬送ベルトＢ）が記録筺体Ｆ（記録ヘッドＦＫ，ＦＣ，ＦＭ，ＦＹ）に対して平行状態を保つためには、４本のピン１０２が全て記録筺体Ｆに当接しなければならないが、一番初めに当接したピン１０２は、全てのピン１０２が当接するまでの間、偏心プーリ１０８からの押し上げ圧力に耐えなければならない。このため、本実施形態では、上述の通り、摺動部材１０３と固定部材１０４との間にバネ１０７を介在させ、この摺動部材１０３を上下方向に摺動させることで、この押し上げ圧力を緩衝している。
【００４７】
一方で、本実施形態では、搬送ユニット１０１を構成する搬送フレーム１０１Ｆが比較的柔構造で形成されているので、バネ１０７のバネ定数を高くすることなく、ひいては偏心プーリ１０８を回転させるためのモータの容量を大きくすることなく、搬送ユニット１０１の搬送ベルトＢを記録ヘッドＦＫ，ＦＣ，ＦＭ，ＦＹに対して精度よく位置決めすることができる。すなわち、両者の平行状態を良好に保つことができる。この点について以下に詳細に説明する。
【００４８】
仮に、搬送ユニット１０１の搬送フレーム１０１Ｆが比較的高剛性で形成されており、たわみにくい構造であるとする。このような構造では、４本のピン１０２と搬送フレーム１０１Ｆとの相対的位置決めを非常に精度よくしなければならない。これらの位置決め精度が低い場合には、前述のように、いずれかのピン１０２が先に記録筺体Ｆに当接した後、他のピン１０２が当接するまでに多くの時間（距離）を有する。そして、この間は、前述のように、偏心プーリ１０８によって摺動部材１０３を押し上げ、バネ１０７を介して、まだ記録筺体Ｆに当接していないピン１０２が装着されている固定部材１０４を押し上げることになる。このとき、ピン１０２と搬送フレーム１０１Ｆとの位置決めが正確でないと、搬送フレーム１０１Ｆをたわませなければ他のピン１０２が記録筺体Ｆに当接しないことになる。そして、搬送フレーム１０１Ｆが従来構造のように高剛性で形成されている場合は、搬送フレーム１０１Ｆはたわみにくいために、バネ１０７のバネ定数を高くし、かつ偏心プーリ１０８を駆動するためのモータの容量を大きなものにする必要がある。
【００４９】
そこで、本実施形態では、搬送フレーム１０１Ｆを板金構造とし、従来の構造に比較して柔構造としている。このため、４本のピン１０２が同時に記録筺体Ｆに当接しなくても、その間搬送フレーム１０１Ｆが容易にたわむことになり、偏心プーリ１０８を駆動するためのモータの容量を大きくする必要がない。しかも、搬送フレーム１０１Ｆがたわんでも、ピン１０２の先端位置と搬送ベルトＢの搬送面との位置関係を正確に設定しておけば、搬送面と記録ヘッド面との平行度を高く維持することができる。
【００５０】
以上のようにして４本のピン１０２が全て記録筺体Ｆに当接すれば、搬送ユニット１０１（搬送ベルトＢ）と記録筺体Ｆ（記録ヘッドＦＫ，ＦＣ，ＦＭ，ＦＹ）との良好な平行状態が保たれる。このように、本実施形態によれば、熟練した技術による微調整を要することなく、記録ヘッドＦＫ，ＦＣ，ＦＭ，ＦＹと搬送ユニット１０１との平行状態を良好に維持することができる。また、地震等でインクジェット記録装置１００が振動したような場合でも、バネ１０７が緩衝材として働くため、いつ如何なる状況においても平行状態が保たれる。
【００５１】
なお、以上では、４つの位置決め部材Ａを搬送ユニット１０１の四隅に備えることとしたが、理論的には３つ以上の位置決め部材Ａを備えておけば、これらの全てのピン１０２が記録筺体ＲＦに当接したとき、良好な平行状態が実現される。しかし、この実施形態のように４つの固定部材１０４を搬送ユニット１０１の四隅に備えるのが、実用の観点からは最適であるといえる。３つの位置決め部材では、搬送ユニット１０１の構造が非対称となってバランスが悪く、また必要以上に多くの位置決め部材Ａを設けると、搬送ユニット１０１の構造が複雑化するからである。
【００５２】
また、支持部材が偏心プーリ１０８であるとして説明したが、これは一例であって、例えば油圧ジャッキ等、搬送ユニット１０１を下方から持ち上げる支持部材であれば、どのような支持部材を用いても本発明を適用できる。
【００５３】
さらに、本実施形態では、画像形成装置がインクジェット記録装置の場合について説明したが、これも一例であって、例えば、電子写真方式を用いたタンデムカラー画像形成装置であっても良い。即ち、搬送ユニットを記録ヘッドと平行に設置する必要のあるあらゆる画像形成装置において、本発明を適用できる。
【００５４】
なお、以上では、記録媒体の通過方向の上流からブラック（Ｋ）、シアン（Ｃ）、マゼンタ（Ｍ）、イエロー（Ｙ）の順で、記録ヘッドＦＫ，ＦＣ，ＦＭ，ＦＹが配置されているとして説明したが、これは例示であって、各色の配置順序はこれと異なっていても良い。
【００５５】
また、記録部材としては、インクジェット方式の記録ヘッドを例示したが、電子写真方式のタンデムカラー画像形成装置に配置された感光体であってもよい。
【００５６】
さらには、本実施形態では記録ヘッドの下方に搬送ユニットが配置されているが、電子写真方式のタンデムカラー画像形成装置において、感光体が垂直方向に並び、搬送ユニットが垂直方向に用紙を搬送するような形態であってもよい。
【図面の簡単な説明】
【００５７】
【図１】本発明に係るインクジェット記録装置の一実施形態の内部構造図。
【図２】本発明に係るインクジェット記録装置の搬送ユニットの構成図。
【図３】本発明に係る固定部材等の構造図。
【図４】従来のインクジェット記録装置の印刷機構の概略構成図。
【符号の説明】
【００５８】
Ｆ  記録筺体
Ａ  位置決め部材
１００  インクジェット記録装置
１０１  搬送ユニット
１０１ａ，１０１ｂ  側壁
１０１ｃ  連結部
１０１Ｆ  搬送フレーム
１０２ピン
１０３  摺動部材
１０４  固定部材
１０８  偏心プーリ（支持部材、移動機構）
【図１】
0005156424.tif 000002
【図２】
0005156424.tif 000003
【図３】
0005156424.tif 000004
【図４】
0005156424.tif 000005